(57)【要約】【課題】電源部と機能製品とを電気的に接続する動作を簡潔にすることで、使用者に煩わしさを与える作業を解消する電源部を備えた機能製品を提供する。【解決手段】電気の供給により駆動する機能部１１と、機能部１１を駆動させる電源部１２と、を備えた機能製品１であって、電源部１２は、送電コイル２１と、送電コイル２１の送磁を制御する発振制御回路２２と、を備えたバッテリー２と、受電コイル３１と、受電コイル３１および機能部１１に接続された電気変換回路３２と、受電コイル３１と電気変換回路３２との間に配された電気変換ケーブル３３、を備え、バッテリー２の外形形状に略一致し、バッテリー２を挿抜可能なケース３と、機能部１１と電気変換回路３２との間に送電可能に配された接続ケーブル４と、を備え、ケース３は、バッテリー２を挿入した時に送電コイル２１と受電コイル３１とが、常に電磁結合可能に近接対向する形状を有する。【選択図】図６
0003231430.tif 000002
【実用新案登録請求の範囲】
【請求項１】
電気の供給により駆動する機能部と、該機能部を駆動させるための電源部と、を備えた機能製品であって、
前記電源部は、
送電コイルと、前記送電コイルの送磁を制御する発振制御回路と、を備えたバッテリーと、
受電コイルと、前記受電コイルおよび前記機能部に接続された電気変換回路と、前記受電コイルと前記電気変換回路との間に配された電気変換ケーブル、を備え、前記バッテリーの外形形状に略一致し、前記バッテリーを挿抜可能なケースと、
前記機能部と前記電気変換回路との間に送電可能に配された接続ケーブルと、
を備え、
前記ケースは、前記バッテリーを前記ケースに挿入したときに前記送電コイルと前記受電コイルとが、常に電磁結合可能に近接対向する形状に形成されている、
電源部を備えた機能製品。
【請求項２】
前記ケースには、前記受電コイルおよび前記電気変換回路が、少なくとも二対以上設けられ、
全ての前記受電コイルは、前記バッテリーを前記ケース内に配置させたときに、前記送電コイルと常に電磁結合可能に近接対向し、
全ての前記受電コイルのうち前記送電コイルと近接対向する１基と、前記送電コイルと、の間で電磁結合が発生する、
請求項１に記載の電源部を備えた機能製品。
【請求項３】
前記バッテリーには、前記送電コイルおよび前記発振制御回路が、少なくとも二対以上設けられ、
全ての前記送電コイルは、前記バッテリーを前記ケース内に配置させたときに、前記受電コイルと常に電磁結合可能に近接対向し、
全ての前記送電コイルのうち前記受電コイルと近接対向する１基と、前記受電コイルと、の間で電磁結合が発生する、
請求項１に記載の電源部を備えた機能製品。
【請求項４】
少なくとも２基以上設けられた前記送電コイルの全てと、少なくとも２基以上設けられた前記受電コイルの全てとは、前記バッテリーを前記ケース内に配置させたときに、常に電磁結合可能に近接対向し、
近接対向する前記送電コイルと前記受電コイルとは少なくとも二対以上形成され、
前記発振制御回路により、一対の近接対向する前記送電コイルと前記受電コイルとの間でのみ電磁結合が発生する、
請求項１から３のいずれか一項に記載の電源部を備えた機能製品。
【請求項５】
前記ケースを収納できる収納部が設けられている、
請求項１から４のいずれか一項に記載の電源部を備えた機能製品。
【請求項６】
前記電源部を備えた機能製品は、ファンを備えたファン付き服およびヒーターを備えたヒーター付き服を含む、
請求項１から５のいずれか一項に記載の電源部を備えた機能製品。
【考案の詳細な説明】
【技術分野】
【０００１】
本考案は、電源部を備えた機能製品に関する。
【背景技術】
【０００２】
電気により駆動する機能製品のうち、設置位置が固定された電源部（例えば、配線用差込接続具（所謂、コンセント））により電気の供給を受けて駆動することが難しい機能製品には、電源部として携帯型の電源装置等が使用されている（例えば、特許文献１参照）。
ここで、上記の条件に該当する機能製品は、日常生活で常用するものや屋外で使用するものが挙げられ、例えば、ファンやヒーター等の空調機構を備えた衣服（ファン付き服、ヒーター付き服）等がある。
【先行技術文献】
【特許文献】
【０００３】
【特許文献１】特開２０１４−７５２５６号公報
【考案の概要】
【考案が解決しようとする課題】
【０００４】
電気により駆動する機能製品を使用する際、従来の構成では、機能製品と電源部とを通電機能を有するケーブル等で接続する作業において、ケーブル等の接続部（コネクタ）を探す作業やケーブルと電源部とを接続する作業が発生する。
上記の作業は、機能製品を使用する度に発生する場合が多く、消費電力が大きい機能製品を使用する際は頻繁にこの作業が発生し、機能製品の使用者に対して煩わしさを与える可能性がある。特に、暗所で上記の作業を行う場合は、使用者が接続箇所を視認しにくいといった課題がある。また、作業の実施に明かりが必要となる可能性もあるという課題もある。
【０００５】
本考案は、上記の事情に鑑み、なされたもので、電源部と機能製品とを電気的に接続する動作を簡潔にすることで、使用者に対して煩わしさを与える作業を解消することができる電源部を備えた機能製品を提供することを目的とする。
【課題を解決するための手段】
【０００６】
上記目的を達成するため、本考案に係る電源部を備えた機能製品は、電気の供給により駆動する機能部と、該機能部を駆動させるための電源部と、を備えた機能製品であって、前記電源部は、送電コイルと、前記送電コイルの送磁を制御する発振制御回路と、を備えたバッテリーと、受電コイルと、前記受電コイルおよび前記機能部に接続された電気変換回路と、前記受電コイルと前記電気変換回路との間に配された電気変換ケーブル、を備え、前記バッテリーの外形形状に略一致し、前記バッテリーを挿抜可能なケースと、前記機能部と前記電気変換回路との間に送電可能に配された接続ケーブルと、を備え、前記ケースは、前記バッテリーを前記ケースに挿入したときに前記送電コイルと前記受電コイルとが、常に電磁結合可能に近接対向する形状に形成されている。
【０００７】
上記の構成を有することで、機能部と電気的に接続された受電コイルが設けられたケースにバッテリーを挿入配置するだけで機能部を駆動させることができる。つまり、簡易な構成および簡潔な作業により、電源部を備えた機能製品を機能させることが可能となる。
【０００８】
本考案の電源部を備えた機能製品において、前記ケースには、前記受電コイルおよび前記電気変換回路が、少なくとも二対以上設けられ、全ての前記受電コイルは、前記バッテリーを前記ケース内に配置させたときに、前記送電コイルと常に電磁結合可能に近接対向し、全ての前記受電コイルのうち前記送電コイルと近接対向する１基と、前記送電コイルと、の間で電磁結合が発生してもよい。
【０００９】
上記の構成を有することで、送電コイルと全ての受電コイルとは、複数のバッテリーのケースへの挿入方向に対して、常に電磁結合可能に近接対向することができるため、複数のバッテリーのケースへの挿入方向に対して、機能製品を駆動させることが可能となる。
例えば、バッテリーを任意のケースへの挿入向きから反転してケースに挿入配置しても、送電コイルと全ての受電コイルとは、常に電磁結合可能に近接対向することが可能となり、機能製品を駆動させることができる。
【００１０】
本考案の電源部を備えた機能製品において、前記バッテリーには、前記送電コイルおよび前記発振制御回路が少なくとも二対以上設けられ、全ての前記送電コイルは、前記バッテリーを前記ケース内に配置させたときに前記受電コイルと常に電磁結合可能に近接対向し、全ての前記送電コイルのうち前記受電コイルと近接対向する１基と、前記受電コイルと、の間で電磁結合が発生してもよい。
【００１１】
上記の構成を有することで、全ての送電コイルと受電コイルとは、複数のバッテリーのケースへの挿入方向に対して、常に電磁結合可能に近接対向することができるため、複数のバッテリーのケースへの挿入方向に対して、機能製品を駆動させることが可能となる。
例えば、バッテリーを任意のケースへの挿入向きから反転してケースに挿入配置しても、全ての送電コイルと受電コイルとは、常に電磁結合可能に近接対向することが可能となり、機能製品を駆動させることができる。
【００１２】
本考案の電源部を備えた機能製品において、少なくとも２基以上設けられた前記送電コイルの全てと、少なくとも２基以上設けられた前記受電コイルの全てとは、前記バッテリーを前記ケース内に配置させたときに、常に電磁結合可能に近接対向し、近接対向する前記送電コイルと前記受電コイルとは少なくとも二対以上形成され、前記発振制御回路により、一対の近接対向する前記送電コイルと前記受電コイルとの間でのみ電磁結合が発生してもよい。
【００１３】
上記の構成を有することで、全ての送電コイルと全ての受電コイルの全てとは、複数のバッテリーのケースへの挿入方向に対して、常に電磁結合可能に近接対向することができるため、複数のバッテリーのケースへの挿入方向に対して、機能製品を駆動させることが可能となる。
例えば、バッテリーを任意のケースへの挿入向きから反転してケースに挿入配置しても、全ての送電コイルと全ての受電コイルの全てとは、常に電磁結合可能に近接対向することが可能となり、機能製品を駆動させることができる。
なお、電磁結合可能に近接対向する送電コイルと受電コイルとの組み合わせが二対以上形成されても、発振制御回路により、このうちの任意の一対の送電コイルと受電コイルとの間でのみ電磁結合が発生する。
上記のように、バッテリーをケースに挿入したときに近接対向するバッテリーとケースの面への送電コイルおよび受電コイルの設置数を増加させることで、バッテリーのケースへの挿入方向の自由度を増加させることが可能となる。
【００１４】
本考案の電源部を備えた機能製品において、前記ケースを収納できる収納部が設けられていてもよい。
【００１５】
上記の構成を有することで、ケースを支持するための新たな機構を設けることなく、または機能製品の使用者がケースを手等で保持することなく、機能製品を使用することが可能となる。
【００１６】
本考案の電源部を備えた機能製品において、前記電源部を備えた機能製品は、ファンを備えたファン付き服およびヒーターを備えたヒーター付き服を含めてもよい。
【００１７】
上記の構成を有することで、本考案の電源部の機構を備えることにより、衣服に電源部との接続作業が単純な空調機能（冷却暖房機能）を付与でき、使用者の快適性の向上に寄与することが可能となる。
【考案の効果】
【００１８】
本考案によれば、電源部と機能製品とを電気的に接続する動作を簡潔にすることで、使用者に対して煩わしさを与える作業を解消することができる電源部を備えた機能製品を提供することができる。
【図面の簡単な説明】
【００１９】
【図１】本考案の実施形態による電源部を備えた機能製品の一例であるファン付き服の正面視の部分平面図である。
【図２】本考案の実施形態による電源部を備えた機能製品の一例であるファン付き服の正面視の部分平面展開図である。
【図３】本実施形態におけるケースの一例を示す部分斜視図である。
【図４】図３のＡを視点とする部分側面図である。
【図５】本実施形態におけるバッテリーのケースへの挿入方法の一例を示す部分斜視図である。
【図６】本実施形態におけるバッテリーのケースへの挿入状況の一例を示す部分斜視図である。
【図７】図６のＢを視点とする部分側面図である。
【考案を実施するための形態】
【００２０】
以下、本考案の実施形態によるファン付き服（機能製品）について、図１乃至図７に基づいて説明する。
図１および図２に示すように、本実施形態によるファン付き服１は、ジャケットやベストなどの服１４に、空調機能（冷却機能）を有し、電気の供給により駆動するファン１１（機能部）と、ファン１１を駆動させるための電源部１２と、が備えられている。服１４は、ケース３を収納できる収納ポケット１３（収納部）が設けられている。また、ファン１１とケース３とは、接続ケーブル４により接続されている。
【００２１】
ファン１１は、服１４の背部において、ファン付き服１の使用者の腰に対向し、ファン付き服１の使用者の背筋に接触する部位を軸に略対称となる位置に一対設けられている。また、ファン１１は、服１４の背部を貫通して設けられている。なお、ファン１１は、電源部１２に接続されることで空調（冷却）機能が発揮されるのであれば、設けられる場所はこれに限らない。例えば、服１４の腹部や胸部等の前部や脇部等の側部に設けられてもよい。
【００２２】
電源部１２は、ファン１１に電気的に接続されたバッテリー２と、バッテリー２を挿入するケース３と、を備え、バッテリー２をケース３に挿入することでファン１１に電気を供給することができる。また、電源部１２は、ファン１１に近接して設けられている。
【００２３】
収納ポケット１３は、服１４の裏地に設けられ、ケース３の大きさを考慮した大きさで形成されている。また、収納ポケット１３は、ケース３を収納した際に、ケース３がファン付き服１の使用者の運動による振動等により容易に転倒、回転等しない大きさで形成されている。なお、収納ポケット１３は、ケース３を容易に収納できれば、取り付け位置は任意に設定してもよい。例えば、服１４の表地に設けられてもよい。
また、電源部１２の落下を防止するため、収納ポケット１３の出し入れ口はファン付き服１の使用時に上向きになるよう設けられている。なお、収納ポケット１３の出し入れ口の構成および向きは、電源部１２の落下を防止できるのであれば、これに限らない。例えば、前記出し入れ口にチャックを設け、横向きに設けてもよい。
【００２４】
電源部１２および収納ポケット１３は、ファン１１と同様に服１４の背部においてファン付き服１の使用者の腰に対向し、ファン付き服１の使用者の背筋に接触する部位を軸に略対称となる位置に一対設けられる。なお、ファン１１と電源部１２と収納ポケット１３とは、数量および組み合わせはこれに限らない。例えば、２基のファン１１を１基の電源部１２に接続して駆動させてもよい。
【００２５】
次に上述した本実施形態による電源部１２の構成について、図３乃至図７に基づいて記述する。なお、バッテリー２およびケース３の長手方向をＸ方向、Ｘ方向に直交するバッテリー２およびケース３の短手方向をＹ方向、Ｘ方向およびＹ方向それぞれに直交する方向（上下方向）をＺ方向として説明する。
【００２６】
図５に示すように、バッテリー２は、電磁結合により電気を伝送する送電コイル２１と、送電コイル２１の送磁を制御する発振制御回路２２とが設けられている。
バッテリー２の外形形状は、Ｘ方向に偏長、Ｙ方向に偏短な直方体形状であり、各面の隅部は面取り加工されている。また、バッテリー２の表面は、落下等の衝撃に対して一定の強度を有する。例えば、プラスチックで形成されている。
【００２７】
送電コイル２１は、バッテリー２のＸＺ平面に沿ってＹ方向にある２つの面のうちの一方の面に設けられている。
送電コイル２１の外形形状は、薄厚の中空円環形状であり、送電コイル２１の中空円環形状側の面とバッテリー２の送電コイル２１が設けられている面とは略一致し、送電コイル２１がバッテリー２に埋め込まれて形成されている。また、送電コイル２１の中空円環形状側の面とバッテリー２の送電コイル２１が設けられる面とは、中心が略一致して形成されている。
【００２８】
発振制御回路２２はバッテリー２に内蔵して設けられ、送電コイル２１と発振制御回路２２とは、電気配線で接続されている。なお、発振制御回路２２の設置位置は、バッテリー２の駆動により発生する電気を磁界に変換する機構により送電コイル２１の送磁を制御する機能が発揮されていれば、本実施形態の構成に限らない。例えば、バッテリー２の外面に設置されていてもよい。
【００２９】
図３および図４に示すように、ケース３は、送電コイル２１から磁界を受ける受電コイル３１と、受電コイル３１およびファン１１に接続され、送電コイル２１から受電コイル３１へ流れる磁界を電気に変換する電気変換回路３２と、受電コイル３１と電気変換回路３２を接続するケーブル、電気変換ケーブル３３とが設けられている。また、ケース３は、ケース３の大きさを考慮した大きさで形成されている収納ポケット１３に配される。
【００３０】
ケース３の外形形状は、バッテリー２の外形形状に略一致する薄厚面の直方体形状であり、そのうちＸＹ平面に沿ってＺ方向に対向する２面のうちの一方の面にバッテリー２を挿抜可能な挿抜口３４が形成されている。また、ケース３は、外力の作用による変形に対して一定の強度および耐久性を有する。例えば、プラスチックで形成されている。
【００３１】
ケース３の外形形状とバッテリー２の外形形状とは、バッテリー２の挿入方向の面と挿抜口３４の開口形状とが略一致する。そのため、バッテリー２は挿抜口３４によりケース３に挿抜可能となる。
【００３２】
図６および図７に示すように、ケース３は、バッテリー２を挿抜口３４からケース３に挿入したときに送電コイル２１と受電コイル３１とが、常に電磁結合可能に近接対向する形状に形成されている。
また、ケース３は、ＸＺ平面に沿ってＹ方向に対向する２面のＺ方向上部両隅部に切り欠き形状が形成されている。また、ケース３は、バッテリー２をケース３に挿入したときに、切り欠き部分はバッテリー２が露出するように構成されている。この構成により、ケース３に挿入したバッテリー２を掴み易くなり、バッテリー２の抜出を容易にする。
【００３３】
挿抜口３４の構成は、ケース３にバッテリー２が挿抜可能であればこれに限らない。例えば、バッテリー２の落下防止を目的として、挿抜口３４に蓋部やバッテリー２を固定する機構を設けてもよい。
【００３４】
受電コイル３１は、ケース３のＸＺ平面に沿ってＹ方向に対向する２面に一対設けられている。
一対の受電コイル３１の外形形状は、共に薄厚の中空円環形状であり、送電コイル２１の外形形状に略一致する。また、一対の受電コイル３１は、共にケース３のそれぞれの受電コイル３１が設けられている面のＹ方向の前後に薄厚を形成するように貼り付けられている。また、一対の受電コイル３１とケース３のそれぞれの受電コイル３１が設けられている面とは、中心が略一致して形成されている。
【００３５】
この構成により、送電コイル２１と一対の受電コイル３１とは、バッテリー２をケース３に挿入したときに、それぞれのコイルが設けられているバッテリー２またはケース３の面の中心と送電コイル２１または受電コイル３１の中空円環形状の中心とが、Ｙ方向に略一致する。
【００３６】
そのため、一対の受電コイル３１は、共にバッテリー２をケース３に挿入させたときに、送電コイル２１と常に電磁結合可能に近接対向し、一対の受電コイル３１のうち送電コイル２１と近接対向する１基と、送電コイル２１との間で電磁結合が発生する。
【００３７】
電気変換回路３２は、一対の受電コイル３１と同様にケース３のＸＺ平面に沿ってＹ方向に対向する２面の両面に一対設けられている。
一対の電気変換回路３２は、それぞれ同じ面内に設けられている受電コイル３１と電気変換ケーブル３３によって接続されている。なお、電気変換回路３２は、送電コイル２１から受電コイル３１に送られた磁界を電気に変換する機能が発揮されていれば、本実施形態の構成に限らない。例えば、ケース３の受電コイル３１が設けられている面と直交する面に設けられてもよい。
また、ファン１１と電気変換回路３２との間には、接続ケーブル４が配されている。
【００３８】
電気変換ケーブル３３は、ケース３のＸＺ平面に沿ってＹ方向に対向する２面の両面に設けられた一対の受電コイル３１と一対の電気変換回路３２との間に電磁変換可能に接続される。また、電気変換ケーブル３３は、ＸＺ平面に沿ってＹ方向に対向する２面の両面に沿って配線されている。なお、電気変換ケーブル３３は、電磁変換可能に接続されていれば、ケーブルを取り纏める作業等を解消するために、接続している受電コイル３１と電気変換回路３２とが設けられているケース３の面に接着されていてもよい。
【００３９】
送電コイル２１と受電コイル３１とは、バッテリー２の挿入方向をケース３の外形形状が略一致する別の挿入方向に変えても、送電コイル２１と受電コイル３１のどちらか一方とが常に電磁結合可能に近接対向する。
【００４０】
また、本実施形態の構成におけるバッテリー２のケース３への挿入方向は４方向ある。このうちバッテリー２の任意の挿入方向を１つ目の挿入方向とおくと、２つ目の挿入方向は、前記任意の挿入方向に対してＹ方向を軸としてバッテリー２のＸＺ平面に沿ってＹ方向にある面を１８０°回転させた方向である。３つ目の挿入方向は、前記任意の挿入方向に対してＺ方向を軸としてバッテリー２のＸＺ平面に沿ってＹ方向にある面を１８０°回転させた方向である。４つ目の挿入方向は、前記任意の挿入方向に対してＹ方向を軸としてバッテリー２のＸＺ平面に沿ってＹ方向にある面を１８０°回転させ、Ｚ方向を軸としてバッテリー２のＸＺ平面に沿ってＹ方向にある面を１８０°回転させた方向である。
なお、本実施形態においてバッテリー２は、上記のいずれの方向からケース３に挿入されてもよい。
【００４１】
送電コイル２１と受電コイル３１とは、バッテリー２をケース３に挿入したときに、電磁結合可能に近接対向するのであれば、本実施形態の外形形状に限らない。例えば、送電コイル２１が薄厚の中空円環形状で受電コイル３１が薄厚の中空正方形状等、それぞれのコイルの外形形状が異なっていてもよい。
また、送電コイル２１と受電コイル３１とは、バッテリー２をケース３に挿入したときに、電磁結合可能に近接対向するのであれば、送電コイル２１または受電コイル３１が設けられているバッテリー２またはケース３の面の中心と送電コイル２１または受電コイル３１の中空円環形状の中心とが略一致しなくてもよい。例えば、それぞれのコイルが設けられているバッテリー２またはケース３の面の端部に設けられていてもよい。
【００４２】
送電コイル２１は、バッテリー２をケース３に挿入したときに、電磁結合可能に近接対向するのであれば、送電コイル２１が設けられているケース３の面に埋め込まれて形成されなくてもよい。例えば、送電コイル２１が設けられているケース３の面に張り付けられていてもよい。
【００４３】
受電コイル３１は、バッテリー２をケース３に挿入したときに、電磁結合可能に近接対向するのであれば、受電コイル３１が設けられているケース３の面に貼り付けられていなくてもよい。例えば、受電コイル３１が設けられているケース３の面に埋め込まれて形成されてもよい。
【００４４】
また、バッテリー２とケース３および送電コイル２１と受電コイル３１とは、バッテリー２をケース３に挿入したときに、送電コイル２１と受電コイル３１とが電磁結合可能に近接対向するのであれば、送電コイル２１と受電コイル３１の設置数、組み合わせおよびバッテリー２とケース３の外形形状はこれに限らない。
例えば、バッテリー２において対向する２面に一対の送電コイル２１を設けてもよいし、バッテリー２とケース３の両方に送電コイル２１と受電コイル３１とがそれぞれ一対設けられてもよい。
【００４５】
また、例えば、バッテリー２およびケース３において、共に外形形状が正六面体であり、バッテリー２がケース３に挿抜可能な挿抜口３４がケース３に設けられている構成であるとする。また、この構成において、送電コイル２１または受電コイル３１またはその両方が、バッテリー２またはケース３において直交する複数の面に設けられているとする。この場合、バッテリー２とケース３とは、バッテリー２を両コイルの設置位置に応じて９０°または２７０°回転させてケース３に挿入しても、送電コイル２１と受電コイル３１とを常に電磁結合可能に近接対向させることが可能となる。さらに、上記の外形形状において、送電コイル２１および受電コイル３１がバッテリー２およびケース３の全ての面に設けられていると、バッテリー２はケース３に対して挿入方向自在となる。
【００４６】
なお、複数の送電コイル２１と受電コイル３１同士が近接対向配置されても、ファン付き服１は、バッテリー２に発振制御回路２２を設けることにより、一対の送電コイル２１と受電コイル３１による電磁結合から駆動させることが可能である。
【００４７】
接続ケーブル４は、ファン１１と一対の電気変換回路３２それぞれとの間に送電可能に配されている。なお、接続ケーブル４は、ファン１１と電気変換回路３２との間に送電可能に配されていれば、この構成の限りではない。例えば、２基以上の電気変換回路３２に接続された接続ケーブル４を１本に取り纏めてファン１１に接続されていてもよい。
【００４８】
次に上述した本実施形態によるファン付き服（機能製品）の作用・効果について図６および図７に基づいて説明する。
図６および図７に示すように、上述した本実施形態におけるファン付き服１は、バッテリー２をバッテリー２とケース３との外形形状が略一致する方向にケース３に挿入することにより、バッテリー２に設けられた送電コイル２１とケース３に設けられた一対の受電コイル３１のどちらか一方とが、常に電磁結合可能に近接配置される。
【００４９】
バッテリー２より通電される電気は、バッテリー２に内蔵されている発振制御回路２２と送電コイル２１により磁界に変換される。変換された磁界は、発振制御回路２２と接続している送電コイル２１と近接対向する受電コイル３１との電磁結合により受電コイル３１側に伝送される。受電コイル３１側に伝送された磁界は、受電コイル３１と電気変換回路３２に接続されている電気変換ケーブル３３により、電気変換回路３２に伝送され、再度電気に変換される。そして、電気変換回路３２により変換された電気は、ファン１１と電気変換回路３２との間に配されている接続ケーブル４により、ファン１１に送電される。
【００５０】
これらの機構を有することで、ファン付き服１は、電源部１２とファン付き服１とを電気的に接続する動作を簡潔にすることが可能となり、簡易な作業により駆動させることが可能となる。そのため、暗所などにおいてもバッテリー２の向きさえ合っていれば、ケース３にバッテリー２を挿入するだけでファン１１を駆動させることができる。また、バッテリー２に電気配線を接続させる等の作業が不要になり、簡易な作業でファン１１を機能させることができる。
【００５１】
また、本実施形態では、外形形状が略一致する方向にバッテリー２をケース３に挿入したときに、いずれの挿入方向においても送電コイル２１と受電コイル３１とが常に電磁結合可能に近接対向する。
【００５２】
この構成を有することで、バッテリー２をバッテリー２とケース３との外形形状が略一致する方向にケース３に挿入できれば、常にファン付き服１を駆動させることが可能となり、ファン付き服１の使用者に対して、正しいバッテリー２の挿入方向を確認するという煩わしさを与える動作を解消することが可能となる。
【００５３】
また、バッテリー２とケース３とが一体となった電源部１２は、電源部１２を収納した際に、ケース３がファン付き服１の使用者の運動による振動等により容易に転倒、回転等しない大きさで形成されている収納ポケット１３に収納される。この構成を有することで、ファン付き服１は、ケース３を支持するための新たな機構を設けなくてもよい。また、ファン付き服１の使用者は、ケース３を手等で保持することなく、ファン付き服１を使用することが可能となる。
【００５４】
以上、本考案による電源部を備えた機能製品について説明したが、本考案は上記の実施形態に限定されるものではなく、バッテリーを接続させて駆動させる機能製品であれば本考案の趣旨を逸脱しない範囲で適用することが可能である。
例えば、空調機能（暖房機能）としてヒーターを備えたヒーター付き服等の衣類、インパクトドライバー、送風機等の電動工具類、電動アシスト付き自転車、座いす等に充電機能を併設した生活用品・家具などの電源部に同様の機構を設けてもよい。
【符号の説明】
【００５５】
１    ファン付き服（機能製品）
１１  機能部
１２  電源部
１３  収納部
１４  服
２    バッテリー
２１  送電コイル
２２  発振制御回路
３    ケース
３１  受電コイル
３２  電気変換回路
３３  電気変換ケーブル
３４  挿抜口
４    接続ケーブル
【図１】
0003231430.tif 000003
【図２】
0003231430.tif 000004
【図３】
0003231430.tif 000005
【図４】
0003231430.tif 000006
【図５】
0003231430.tif 000007
【図６】
0003231430.tif 000008
【図７】
0003231430.tif 000009